(57)【特許請求の範囲】
【請求項１】
食料品パッケージであって、
複数の食料品ピースを保持するように適合された複数の、間隔をあけた食料品保持器を含む食料品ホルダと、
スリーブ内部を形成する第１および第２の対向するパネルを有するスリーブであって、前記食料品ホルダが選択的にスライド可能に挿入可能および前記スリーブ内部から取り出し可能である、スリーブと
を備え、前記第１のパネルはそこに第１の開口部を含み、前記第２のパネルはそこに第２の開口部を含み、前記第１および前記第２の開口部は複数の前記食料品保持器に亘って延びて、前記複数の食料品ピースの表示を可能にし、
前記第１および前記第２の開口部は、少なくとも部分的に、互いに、および、前記食料品保持器の窪み部分の少なくとも１つの一部で、位置合わせされ、前記食料品保持器に保持される前記複数の食料品ピースを、前記第１及び前記第２の開口部を介して前記スリーブの外へ取り出すことが可能であり、
前記第１の開口部は、その周辺全体の周囲において、前記第１のパネルによって、囲まれ、前記第１のパネルは第１および第２の側壁によって前記第２のパネルに接続され、前記第１の側壁はそこに側面の開口部を含んで、前記食料品ピースの表示を可能にする、食料品パッケージ。
【請求項２】
前記スリーブは第１および第２の開口端部を含んで、前記食料品ホルダが前記スリーブの内外にスライドできる、請求項１に記載のパッケージ。
【請求項３】
前記第１のパネルにある前記第１の開口部は略透明なフィルムによって覆われている、請求項１に記載のパッケージ。
【請求項４】
前記第１のパネルはそこに形成される複数の開口部を含む、請求項１に記載のパッケージ。
【請求項５】
前記スリーブは単一の一体となったピースの材料から形成される、請求項１に記載のパッケージ。
【請求項６】
前記第１の開口部は、円形、星型、細長いスロット、および長方形を含む群より選択される形状を有する、請求項１に記載のパッケージ。
【請求項７】
前記食料品保持器は、前記食料品保持器を形成する行および列に配置された複数の窪み部分を有するブリスタートレイを含む、請求項１に記載のパッケージ。
【請求項８】
印が前記スリーブに付与され、前記印は、前記第１の開口部を介して目に見えるブリスタートレイの少なくとも一部の上において連続している、請求項１に記載のパッケージ。
【請求項９】
ブリスターパッケージであって、
複数の上方に開口したブリスターの窪み部分を有するブリスタートレイであって、各ブリスターの窪み部分は消費可能な製品を支えている、ブリスタートレイと、
前記ブリスタートレイをスライド可能に受け取るためのブリスタースリーブであって、前記ブリスタースリーブは、スリーブ内部を形成するために互いに間隔をあけた第１および第２の平面壁を有し、前記第１の平面壁はそこに第１の開口部を有し、前記第２の平面壁はそこに第２の開口部を有し、前記第１および第２の開口部は、少なくとも部分的に、互いに、および、前記ブリスターの窪み部分の少なくとも１つの一部で、位置合わせされ、前記スリーブから前記ブリスタートレイを取り出すことなく、前記複数の上方に開口したブリスターの窪み部分に保持される前記消費可能な製品を前記第１及び前記第２の開口部を介して前記スリーブの外へ取り出すことが可能である、ブリスタースリーブとを備え、
前記第１の開口部は、前記第１の平面壁によって囲まれた周囲を有し、
前記第１の平面壁は第１および第２の側壁によって前記第２の平面壁に接続され、前記第１の側壁はそこに側面の開口部を含んで、前記消費可能な製品の表示を可能にする、ブリスターパッケージ。
【請求項１０】
前記スリーブは、前記第１の平面壁から間隔をあけた第２の平面壁を含み、前記第１および第２の平面壁は、前記ブリスタートレイを受け取るための、それらの間の空間を規定する、請求項９に記載のパッケージ。
【請求項１１】
前記第２の平面壁はそこに第２の開口部を含み、前記第２の開口部は、前記ブリスターの窪み部分の少なくとも１つの一部で位置合わせされて、前記ブリスターの窪み部分の中で支えられた前記消費可能な製品の表示を可能にする、請求項１０に記載のパッケージ。
【請求項１２】
前記第１の開口部は、前記少なくとも１つのブリスターの窪み部分に対するアクセスをユーザに提供し、前記第２の開口部は、前記少なくとも１つのブリスターの窪み部分から取り除かれた後に、前記消費可能な製品が前記スリーブから外に出ることができる出口を提供する、請求項１１に記載のパッケージ。
【請求項１３】
印が前記スリーブに付与され、前記印は、前記第１の開口部を介して目に見える前記ブリスタートレイの少なくとも一部の上に連続している、請求項９に記載のパッケージ。
【請求項１４】
ガムピースのパッケージであって、
ガムピースを保持するために、複数の手動で変形可能な窪み部分を有するブリスタートレイと、
スリーブ内部を形成する対の対向する側壁によって接合される第１および第２の対向するパネルを有するスリーブであって、前記ブリスタートレイは選択的にスライド可能に挿入可能および前記スリーブ内部から取り出し可能である、スリーブと
を備え、
前記第１のパネルはそこに形成される第１の開口部を含んで、前記第２のパネルはそこに形成される第２の開口部を含んで、前記ガムピースの表示を可能にし、前記第１および前記第２の開口部は、少なくとも部分的に、互いに、および、前記複数の手動で変形可能な窪み部分の少なくとも１つの一部で、位置合わせされ、前記複数の手動で変形可能な窪み部分に保持される前記ガムピースを、前記第１及び前記第２の開口部を介して前記スリーブの外へ取り出すことが可能であり、前記第１のパネルの一部は前記第１の開口部の周囲を形成し、前記側壁のうちの１つはそこにアパチャを含んで、前記ブリスタートレイの１つの側面の表示を可能にする、ガムピースのパッケージ。
【請求項１５】
印が前記スリーブに付与され、前記印は、前記第１の開口部を介して目に見える前記ブリスタートレイの少なくとも一部の上に連続している、請求項１４に記載のパッケージ。
【発明の詳細な説明】
【技術分野】
【０００１】
本出願は、２００９年６月２３日に出願の米国仮特許出願第６１／２６９，３２５の優先権を主張し、その開示は本明細書において参照することにより援用される。
【０００２】
本発明は一般に消費可能な製品を収容および分配するためのブリスターパッケージに関する。より詳細には、本発明は、ガムピースを分配するために用いられ、かつブリスタースリーブにおける開口部を介してそれらのピースを表示することを可能にする、ブリスターパッケージに関する。
【背景技術】
【０００３】
従来技術においては、チューインガムピース等の消費可能な製品が入った多くのパッケージが存在する。あるタイプのパッケージとしては、ブリスタースリーブ内に挿入されたガムピースを収容するブリスタートレイを含むブリスターパッケージが挙げられる。多くのブリスターパッケージは、消費者に対してパッケージを望ましいものとする、美的に優れかつ機能的な特徴の両方を提供する。特定の所望の特徴としては、中身を表示することができる、美的に優れたデザインのパッケージングが挙げられる。特定の機能的な特徴としては、ガムピースを都合良く個々に分配することができるパッケージの中に、ガムピースを保持することができることが挙げられる。
【発明の概要】
【発明が解決しようとする課題】
【０００４】
美的に優れ、魅力的な外見を保つと同時に、消費者に対して上質な機能性を提供する改善されたガムのパッケージングを提供することが所望される。
【課題を解決するための手段】
【０００５】
本発明は、複数の食料品ピースを保持するように適合された複数の、間隔をあけた食料品保持器を有する食料品ホルダを含む食料品パッケージを提供する。スリーブはスリーブ内部を形成する第１および第２の対向するパネルを有する。食料品ホルダは選択的に挿入可能およびスリーブ内部から取り出し可能である。第１のパネルはそこに第１の開口部を含む。第１の開口部は複数の食料品保持器に亘って延びて、複数の食料品ピースの表示を可能にする。
【０００６】
本発明はさらに、複数の上方に開口したブリスターの窪み部分を有するブリスタートレイを含むブリスターパッケージを提供する。各ブリスターの窪み部分は消費可能な製品を支える。ブリスタースリーブはブリスタートレイを受け取る。ブリスタースリーブは、スリーブ内部を形成するために互いに間隔をあけた第１および第２の平面壁を有する。第１の平面壁はそこに第１の開口部を有し、第２の平面壁はそこに第２の開口部を有する。第１および第２の開口部は、少なくとも部分的に、互いに、および、ブリスターの窪み部分の少なくとも１つの一部で、位置合わせされ、スリーブからブリスタートレイを取り出すことなく、消費可能な製品を分配することができる。
【０００７】
本発明はさらに、ガムピースを保持するために、複数の手動で変形可能な窪み部分を有するブリスタートレイを含むガムピースのパッケージを提供する。スリーブはスリーブ内部を形成する第１および第２の対向するパネルを有する。ブリスタートレイは選択的に挿入可能およびスリーブ内部から取り出し可能である。第１のパネルはそこに形成される第１の開口部を含み、ガムピースの表示を可能にし、第１のパネルの一部は第１の開口部の周囲を形成する。側壁のうちの１つはそこにアパチャを含んで、ブリスタートレイの１つの側面の表示を可能にする。
【図面の簡単な説明】
【０００８】
【図１】図１は、本発明のパッケージングを示す上面図である。
【図２】図２は、図１のパッケージングの上面斜視図であり、ブリスタートレイはスリーブから部分的に取り除かれて示されている。
【図３】図３は、パッケージングの側面斜視図であり、ブリスタートレイは完全にスリーブ内に配置されて示されている。
【図４】図４は、本発明のパッケージングの代替の実施形態を示す上面図である。
【図５】図５は図４のパッケージングの上面斜視図である。
【図６】図６は図４のスリーブを形成するために用いられるブランクの上面図である。
【図７】図７は、製品の１つの部分、あるいは２つ以上の部分を露出させるための開口部の異なる構成を示すスリーブのブランクの代替の実施形態の上面図である。
【図８】図８は、製品の１つの部分、あるいは２つ以上の部分を露出させるための開口部の異なる構成を示すスリーブのブランクの代替の実施形態の上面図である。
【図９】図９は、製品の１つの部分、あるいは２つ以上の部分を露出させるための開口部の異なる構成を示すスリーブのブランクの代替の実施形態の上面図である。
【図１０】図１０は、製品の１つの部分、あるいは２つ以上の部分を露出させるための開口部の異なる構成を示すスリーブのブランクの代替の実施形態の上面図である。
【図１１】図１１は、製品の１つの部分、あるいは２つ以上の部分を露出させるための開口部の異なる構成を示すスリーブのブランクの代替の実施形態の上面図である。
【図１２】図１２は、製品の１つの部分、あるいは２つ以上の部分を露出させるための開口部の異なる構成を示すスリーブのブランクの代替の実施形態の上面図である。
【図１３】図１３は、製品の１つの部分、あるいは２つ以上の部分を露出させるための開口部の異なる構成を示すスリーブのブランクの代替の実施形態の上面図である。
【図１４】図１４は、製品の１つの部分、あるいは２つ以上の部分を露出させるための開口部の異なる構成を示すスリーブのブランクの代替の実施形態の上面図である。
【図１５】図１５は、製品の１つの部分、あるいは２つ以上の部分を露出させるための開口部の異なる構成を示すスリーブのブランクの代替の実施形態の上面図である。
【図１６】図１６Ａ〜Ｊは、スリーブにおける様々な開口部の変形を示すパッケージングの上面図である。
【図１７】図１７Ａは、窪み部分の代替の構成を示すブリスタートレイの上面図であり、図１７Ｂは、リーフのインプリントを有するブリスタートレイを示すブリスタートレイの上面図である。
【発明を実施するための形態】
【０００９】
本発明は、複数の製品、好ましくは消費可能な製品を包み込み、かつ分配するためのパッケージを提供する。より詳細には、本発明は、ガムピース等の菓子製品が入り、かつそれを分配するようにデザインされる。複数層化されたガムピースが本発明の好適な実施形態において示されるが、本明細書において開示されるパッケージは、様々な形態において、ガムピースまたは菓子等の様々な消費可能な製品を分配するために用いられてよいことは理解され得る。本発明のパッケージは、平板（スラブ）状、スティック状、ペレット状、ピロー状などを含んだ様々な形状でガムピースを入れ、かつ分配するように用いられてよいことが想定されている。さらに、包装されていない平板状のガムが本明細書における好適な実施形態に示されており、個々のガムピースが包装されている場合または包装されていない場合は本発明の想定内である。
【００１０】
図１〜図３をここで参照すると、食料品パッケージングの第１の実施形態が示されている。食料品パッケージングは、ブリスタートレイの形をした製品保持器１２を含み、かつブリスタースリーブ１４を含む、ブリスターパッケージ１０であってよい。ブリスタートレイ１２は、好ましくは透明な材料でできており、行と列で配置構成された複数のブリスターの窪み部分１６を含み、それらの各々がその中にガムピース１８等の製品を保持する。窪み部分１６はユーザによる手動の動きで変形可能である。各窪み部分１６の上側部分は開口端部を含み、これを介してガムピース１８が分配されてよい。トレイ１２は、ブリスターの窪み部分１６内のガムピース１８を密封可能に包み込むために、そのトレイ上に亘って、ブリスターフィルムまたはカバー１９を含んでよい。ブリスターカバー１９は金属箔でできていてよい。あるいは、カバー１９は、その窪み部分内に保持された製品がブリスタートレイのいずれかの側を見た場合に表示可能となるように、略透明な材料でできていてもよい。従来の方法では、ガムピース１８は、窪み部分を押圧してこれを変形させ、ブリスターカバー上に配置されているガムピースをブリスターカバーを介して押し出すことにより、この窪み部分の開口端部を介して分配され得る。
【００１１】
ブリスタースリーブ１４は、対の平面壁パネル２０ａおよび２０ｂを含み、これらはブリスタースリーブの（対向する）両側に沿って側壁２２および２４によって接合される。壁パネル２０ａおよび２０ｂならびに側壁２２および２４が、ブリスタートレイ１２を受け入れるためのスリーブ内部２１を形成する。ブリスタースリーブの残りの（対向する）両側の端部２３は開口しており、その中でブリスタートレイ１２をスライド可能に挿入および取り出しすることができる。製品の取り出しを容易にするために、パネルの１つは、そこに形成されるノッチ部分１７を備えてよく、これによりユーザがブリスタートレイを掴み取ることができる。
【００１２】
パネル２０ａの１つはそこに形成されるアパチャすなわち開口部２５を備え、ブリスタートレイ１２がその中に挿入された場合に、ユーザが見るために、ブリスターの窪み部分１６と、その中で支えられているガムピース１８とを露出させる。開口部２５は、その周辺全体の周囲において、パネル２０ａの一部によって、周囲で（ｐｅｒｉｍｅｔｒｉｃａｌｌｙ）囲まれている。開口部２５は、ブリスターの窪み部分１６と、その中に保持された製品１８を取り囲むフレームを生成する。製品を市販することに関連した印（ｉｎｄｉｃｉａ）が開口部周囲一帯のスリーブにプリントされていてもよい。従って、購入者は、ブリスタートレイ１２がスリーブ１４内に完全に挿入されているときであっても、その購入している製品を見ることができる。本実施形態においては、開口部２５が、全てのブリスターの窪み部分１６を見ることができる程度に十分に大きいので、スリーブ１４からブリスタートレイ１２を取り出すことなく、ガムピース１８がいくつ残っているかを決定することもできる。
【００１３】
図示した本実施形態においては、開口部２５は、ブリスタートレイ１２内に含まれているブリスターの窪み部分１６の少なくとも一部または全部と、同一の外延を持っている（ｃｏ−ｅｘｔｅｎｓｉｖｅ）。しかしながら、開口部の他の形状、サイズ、および配置構成も想定されている。開口部２５は、プラスチック等で形成された透明なウィンドウ２６によって覆われていてもよい。
【００１４】
さらに、図３に示されるように、側壁２４の少なくとも１つは、ブリスターの窪み部分１６内に含まれているガムピース１８の側面を見るために、その側壁２４において開口部２７を備えていてもよい。この配置構成は、ガムピースが多層化されたペレットであり、ユーザがその側面からの表示から多層による美的に優れた品質を視覚的に観察できるという点で特に有利なものである。この開口部はまた、透明なウィンドウによって覆われていてもよい。
【００１５】
ブリスタートレイ１２をその中に有するスリーブ１４は、パッケージ１０の中身を保護するために、除去可能な上包み（図示せず）で覆われていてもよい。ユーザは、その上包みを取り除いて、ブリスタートレイ１２とその中にあるガムピース１８にアクセスすることができる。
【００１６】
図４〜図６に関して本発明のさらなる実施形態を示す。本明細書に示す実施形態は図１〜図３に示す実施形態に実質的に類似する。ブリスターパッケージ１０’は、ブリスタートレイ１２’と、スリーブ１４’の上側壁２０ａ’にある開口部２５’を有するブリスタースリーブ１４’とを有する。しかしながら、ブリスターの開口部２５’は、単一のブリスターの窪み部分１６’の上にあって、それによりガムピース１８’を露出させる、より小さな中央の開口部である。このように、単一のガムピースが、パッケージを見る者の目を引くようにされている。開口部２５’のサイズおよび位置は美的な意味での想定のために、ブリスタースリーブ上で様々であってよいことはもちろん理解されてよい。
【００１７】
図６に示すように、スリーブ１４’は、平坦な打抜（ｄｉｅ  ｃｕｔ）のブランク３０から形成されていてよい。この平坦なブランクは、板紙の部材であるが、理解され得るように、他の材料およびそれらの複合材料もまた用いられてよい。スリーブ１４’は、様々な折り目３２に沿ってブランクを折り、かつタブ３４および３６を共に接着することによって形成されてよい。ウィンドウを形成する透明なフィルム２６’は、ブランク３０をスリーブへと折る前に、開口部２５’上に接着されてよい。
【００１８】
図７〜図１５は、ブリスタースリーブを形成するために用いられる、参照番号５０によって概ね全て参照される平坦な打抜のブランクを示し、ここで、ブリスタースリーブの片側または両側に、参照番号５２で概ね参照される、様々な構成の開口部が形成され得る。上述したように、スリーブの壁パネルにおける開口部は、例えば、楕円形（図７）、矩形（図１０）、円形（図１２および図１３）、および星型（図８）等、様々な形状およびサイズにおいて形成されていてよい。図面から理解できるように、開口部は、１つ以上のブリスターの窪み部分を覆い得るものであり、あるいは、ブリスターの窪み部分の１つ以上の一部を覆い得るものである。さらに、例えば図７に示すように、１つ以上の開口部は、両パネル壁に形成されていてもよい。さらに、例えば図９に示すように、各パネルは、異なるセットの開口部を有していてもよい。
【００１９】
開口部６２を有する、参照番号６０で概ね参照される様々な代替のパッケージングを図１６Ａ〜図１６Ｊに示す。
【００２０】
１つの実施形態において、壁パネルは、スリーブが形成される場合に、互いに位置合わせされる開口部を含んでよい。そのようなスリーブを形成するために用いられるブランクを、例えば図７、図８、および図１０に示す。開口部５２は、ブリスターの窪み部分が２つの開口部の間に置かれるように配置されてよい。ユーザは１つの開口部を通して指をその中に伸ばしてブリスターの窪み部分を押圧してよい。このように押圧して、ガムピースをカバーを介して押し出し、ガムが他の開口部５２から外に出る。それゆえ、ガムピースは、スリーブからブリスタートレイを取り出すことなく分配され得る。
【００２１】
スリーブのパネルに形成された開口部によりブリスタートレイを見ることができるので、ブリスターの窪み部分１６は、様々な美的に優れた構成において形成されてよい。例えば、ブリスタートレイ６６上のブリスターの窪み部分１６の１つの構成を図１７Ａに示す。さらに、図１７Ｂに示すように、イメージまたは他の印７０をブリスタートレイ７２に付与してもよい。印７０はスリーブ上にある印に対応してもよい。例えば、スリーブおよびブリスタートレイ上にある印は、１つの連続したイメージがユーザに提示されるように、調和していてもよい。さらに、スリーブ上の印は、目に見えるブリスタートレイの少なくとも一部の上に連続していてもよい。
【００２２】
上で記載されおよび示された構造に対する様々な変更は当業者に対して明らかである。従って、本発明の特定的に開示された範囲は以下の特許請求の範囲において明記される。
【図１】
0005559319.tif 000002
【図２】
0005559319.tif 000003
【図３】
0005559319.tif 000004
【図４】
0005559319.tif 000005
【図５】
0005559319.tif 000006
【図６】
0005559319.tif 000007
【図７】
0005559319.tif 000008
【図８】
0005559319.tif 000009
【図９】
0005559319.tif 000010
【図１０】
0005559319.tif 000011
【図１１】
0005559319.tif 000012
【図１２】
0005559319.tif 000013
【図１３】
0005559319.tif 000014
【図１４】
0005559319.tif 000015
【図１５】
0005559319.tif 000016
【図１６Ａ】
0005559319.tif 000017
【図１６Ｂ】
0005559319.tif 000018
【図１６Ｃ】
0005559319.tif 000019
【図１６Ｄ】
0005559319.tif 000020
【図１６Ｅ】
0005559319.tif 000021
【図１６Ｆ】
0005559319.tif 000022
【図１６Ｇ】
0005559319.tif 000023
【図１６Ｈ】
0005559319.tif 000024
【図１６Ｉ】
0005559319.tif 000025
【図１６Ｊ】
0005559319.tif 000026
【図１７Ａ】
0005559319.tif 000027
【図１７Ｂ】
0005559319.tif 000028